(57)【要約】【課題】視聴予約した番組の放送時間が変更された場合でも、視聴者が当該番組を見逃さないようにすることができる放送受信装置を提供する。【解決手段】視聴予約機能及び録画予約機能を有する放送受信装置であって、番組情報を取得する手段と、取得した番組情報において放送開始時刻及び／又は放送終了時刻が変更された番組を検出する手段と、検出された番組が視聴予約されている番組かどうかを判定する手段と、放送開始時刻及び／又は放送終了時刻が変更された視聴予約されている番組を録画予約に変更する手段とを備える。【選択図】図１
2008236517.tif 000002
【特許請求の範囲】
【請求項１】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組を録画予約に変更する手段とを備えることを特徴とする放送受信装置。
【請求項２】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組のうち、放送開始時刻が変わらず、放送終了時刻が早まる番組以外の番組を録画予約に変更する手段とを備えることを特徴とする放送受信装置。
【請求項３】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組のうち、放送開始時刻が遅れる番組に関しては、録画予約への変更の承認を促すメッセージを、変更される放送開始時刻の前に画面に表示し、承認が得られた場合にのみ録画予約に変更し、その他の番組に関しては録画予約に変更する手段とを備えることを特徴とする放送受信装置。
【請求項４】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組のうち、放送開始時刻が遅れる番組に関しては、録画予約への変更の承認を促すメッセージを、変更される放送開始時刻の前に画面に表示し、承認が得られた場合にのみ録画予約に変更し、放送開始時刻が変わらず、放送終了時刻が早まる番組に関しては視聴予約のままとし、その他の番組に関しては録画予約に変更する手段とを備えることを特徴とする放送受信装置。
【請求項５】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組のうち、放送開始時刻が変わらず、放送終了時刻が遅れる番組に関しては、録画予約への変更の承認を促すメッセージを、放送開始時刻の前に画面に表示し、承認が得られた場合にのみ録画予約に変更し、その他の番組に関しては録画予約に変更することを特徴とする放送受信装置。
【請求項６】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組のうち、放送開始時刻が変わらず、放送終了時刻が遅れる番組に関しては、録画予約への変更の承認を促すメッセージを、放送開始時刻の前に画面に表示し、承認が得られた場合にのみ録画予約に変更し、放送開始時刻が変わらず、放送終了時刻が早まる番組に関しては視聴予約のままとし、その他の番組に関しては録画予約に変更することを特徴とする放送受信装置。
【請求項７】
視聴予約機能及び録画予約機能を有する放送受信装置であって、
番組情報を取得する手段と、
取得した番組情報において放送開始時刻及び／又は放送終了時刻が変更された番組を検出する手段と、
検出された番組が視聴予約されている番組かどうかを判定する手段と、
放送開始時刻及び／又は放送終了時刻が変更された視聴予約されている番組のうち、放送開始時刻が変わらず、放送終了時刻が遅れる番組に関しては、録画予約への変更の承認を促すメッセージを、放送開始時刻の前に画面に表示し、承認が得られた場合にのみ録画予約に変更し、放送開始時刻が遅れる番組に関しては、録画予約への変更の承認を促すメッセージを、変更される放送開始時刻の前に画面に表示し、承認が得られた場合にのみ録画予約に変更し、放送開始時刻が変わらず、放送終了時刻が早まる番組に関しては視聴予約のままとし、その他の番組に関しては録画予約に変更することを特徴とする放送受信装置。
【発明の詳細な説明】
【技術分野】
【０００１】
本発明は、視聴予約機能及び録画予約機能を備える放送受信装置に関する。
【背景技術】
【０００２】
衛星や地上波によるディジタル放送では、映像や音声に加えて番組情報も送信している。この番組情報には、放送される番組のチャンネル、番組ＩＤ、番組名、番組日付、番組開始時刻、番組終了時刻等が含まれる。ディジタル放送を受信可能なテレビジョン受像機等の放送受信装置では、このような番組情報に基づいて電子番組表を表示し、視聴予約及び録画予約の機能を有するものがある。録画予約では、電子番組表から番組を選択して予約すると、内蔵した、あるいは外部の録画機器に番組を録画する。視聴予約では、電子番組表から番組を選択して予約すると、番組開始時刻に自動的にそのチャンネルを選局する。番組編成変更などにより放送時間が変更になった場合、予約スケジュールも修正される。
【０００３】
特許文献１及び２には、予約した番組の放送時間変更に追従し、他の予約と重複した場合には重複を解消する技術が開示されている。
【０００４】
特許文献１には、元のスケジュールが動いて他のスケジュールと重なってしまった場合、ある録画機器の予約を別の録画機器に移す技術が開示されている。
【０００５】
特許文献２には、番組ジャンルに対して予約優先順位を与え、予約番組の放送時間が重複した場合には予約優先関係を示したメッセージをユーザに示して予約対象番組を選択させるか、自動的に予約優先順位が高い方の番組を予約対象番組として処理する技術が開示されている。
【０００６】
【特許文献１】特開２００２−１０１４９号公報
【特許文献２】特開２００４−２０８１４８号公報
【発明の開示】
【発明が解決しようとする課題】
【０００７】
視聴予約している番組の放送時間が変更され、変更された放送時間帯にユーザが視聴できない場合、ユーザ操作によって録画予約に切り替える必要があった。
【０００８】
また、視聴予約している開始時刻が当初の予定より早まった場合、番組を見逃すおそれがあった。
【０００９】
上述したことを鑑み、本発明は、視聴予約した番組の放送時間が変更された場合でも、視聴者が当該番組を見逃さないようにすることができる放送受信装置を提供することを目的とする。
【課題を解決するための手段】
【００１０】
本発明の放送受信装置は、視聴予約機能及び録画予約機能を有する放送受信装置であって、番組情報を取得する手段と、取得した番組情報において放送開始時刻及び／又は放送終了時刻が変更された番組を検出する手段と、検出された番組が視聴予約されている番組かどうかを判定する手段と、放送開始時刻及び／又は放送終了時刻が変更された視聴予約されている番組を録画予約に変更する手段とを備えることを特徴とする。放送時刻が変更になった場合は自動的に録画が行われるので、ユーザは予約した時点での放送時間にのみテレビを視聴する予定を立てておけばすむ。ユーザが視聴できない時間帯に放送時間が変更になった場合でも、ユーザ操作によって録画予約に切り替える必要がない。番組の放送が予約した時刻より早く始まった場合でも、録画が行われているので番組を見逃すおそれがなくなる。
【００１１】
視聴予約されている番組の放送開始時刻が変わらず、放送終了時刻が早まる場合、録画予約への変更を行わないようにしてもよい。視聴予約されている番組の放送開始時刻が変わらず、放送終了時刻が早まる場合は、視聴者はこの番組を完全に視聴することができるため、余計な録画をしなくてすむ。
【００１２】
視聴予約されている番組の放送開始時刻が遅れる場合、録画予約への変更の承認を促すメッセージを、変更される放送開始時刻の前に画面に表示し、承認が得られた場合にのみ録画予約に変更するようにしてもよい。視聴者は、視聴予約されている番組の放送が遅れることを知ることができ、録画予約に変更されることを知ることができるので、録画された番組を後で視聴する必要があることを知ることができ、録画予約に変更されることを望まない場合は、変更を取り消すことができる。
【００１３】
視聴予約されている番組の放送開始時刻が変わらず、放送終了時刻が遅れる場合、録画予約への変更の承認を促すメッセージを、放送開始時刻の前に画面に表示し、承認が得られた場合にのみ録画予約に変更するようにしてもよい。視聴者は、視聴予約されている番組の放送が延長されることを知ることができ、録画予約に変更されることを知ることができるので、録画された番組を後で視聴する必要があることを知ることができでき、録画予約に変更されることを望まない場合は、変更を取り消すことができる。
【発明の効果】
【００１４】
本発明によれば、視聴予約した番組の放送時間が変更された場合でも、視聴者が当該番組を見逃さないようにすることができる放送受信装置が提供される。
【発明を実施するための最良の形態】
【００１５】
以下に本発明の実施の形態を、図面を参照して説明する。
図１は、本発明の放送受信装置の構成の一例を示すブロック図である。本放送受信装置は、チューナ部２と、デマルチプレクサ４と、映像・音声デコード部６と、ＥＰＧ構成部８と、画面合成部１０と、表示部１２、音声出力部１４と、タイマ１６と、リモコン受光部１８と、制御部２０と、メモリ２２と、番組記憶部２４とを備える。
【００１６】
チューナ部２は、衛星アンテナや地上波アンテナにより受信された複数の放送波から任意の放送波を選択し、デマルチプレクサ４に供給する。デマルチプレクサ４は、この選択された放送波に含まれる複数のチャンネルからデマルチプレクス処理によって任意のチャンネルのデジタル信号を選択し、映像・音声デコード部６に供給し、番組情報をＥＰＧ構成部８に供給する。映像・音声デコード部６は、選択されたチャンネルのディジタル信号をデコードすることによって映像・音声信号を得て、映像信号を画面合成部１０に供給し、音声信号を音声出力部１４に供給する。ＥＰＧ構成部８は、番組情報を元にＥＰＧ画面を構成し、画面合成部１０に供給する。画面合成部１０は、番組の映像信号やＥＰＧ画面、予約画面等を合成し、表示部１２に供給する。表示部１２は液晶ディスプレイ等であり、番組の映像や各種制御画面等を表示する。音声出力部１４は、増幅器やスピーカ等から成り、番組の音声や警告音等を出力する。タイマ１６は、視聴予約や録画予約の実行に必要な時間情報を提供する。メモリ２２には、番組情報や予約情報が格納される。録画予約された番組は、番組記録部２４に記憶される。番組記憶部２４は、放送受信装置内に内蔵されるハードディスクドライブ等の記録装置であってもよく、放送受信装置に接続可能なビデオテープレコーダやハードディスクドライブ等の外部の記録装置であってもよい。これらの各部は、制御部２０によって制御される。制御部２０は、リモコン受光部１８を経てリモコン装置（図示せず）からの制御を受け、チャンネルの選択や、視聴予約・録画予約等のユーザ操作を受け付ける。本発明の特徴である予約種別の変更も、この制御部２０において行われる。
【００１７】
図２は、本発明の方送受信装置による予約変更動作を説明するフローチャートである。ステップｓ１０１で、番組情報を取得する。この番組情報は、放送電波において定期的に送信され、各番組の放送されるチャンネル、番組ＩＤ、番組名、放送開始時刻、放送終了時刻等を含む。ステップｓ１０２で、放送開始時刻又は放送終了時刻が変更された番組があるかどうかを判定する。変更された番組がある場合、ステップｓ１０３に進み、変更された番組がない場合、何もせずに動作を終了する。ステップｓ１０３で、変更された番組が視聴予約した番組かどうかを判定する。視聴予約した番組である場合、ステップｓ１０４に進み、そうでない場合、何もせずに動作を終了する。ステップｓ１０４で、視聴予約した番組の予約情報の開始時刻、終了時刻を更新する。ステップｓ１０５で、変更されたのが番組開始時刻であるのかどうかを判定する。変更されたのが番組開始時刻である場合（番組の放送が遅れる場合）、ステップｓ１０７で当該予約番組の予約種別を録画予約に変更し、動作を終了する。変更されたのが番組開始時刻ではなく、番組終了時刻である場合、ステップｓ１０６で、番組終了時刻が遅くなったのかどうかを判定する。番組終了時刻が遅くなった場合（番組が延長される場合）、ステップｓ１０７で当該予約番組の予約種別を録画予約に変更し、動作を終了する。番組終了時刻が早まった場合、何もせずに動作を終了する。
【００１８】
視聴予約した番組の放送が始まった後に番組終了時刻が遅くなることが判明した場合、判明した時点で録画に切り替える、延長された期間のみを録画する、又は、何もしないのいずれかの処理を行う。いずれの処理を行うかの選択は、ユーザが予め設定できるようにしてもよい。
【００１９】
視聴予約した番組の放送が始まった後に番組終了時刻が早まることが判明した場合はなにもしない。
【００２０】
番組情報を取得するたびに図２のフローチャートの処理を繰り返し、同じ予約番組の放送開始時刻及び／又は放送終了時刻が変更されるたびにｓ１０４以降の処理を繰り返す。
【００２１】
一度視聴予約から録画予約に変更された番組の放送開始時刻及び／又は放送終了時刻が、視聴予約した時点の放送開始時刻及び／又は放送終了時刻に再度変更された場合、視聴予約に戻すようにしてもよい。
【００２２】
視聴予約から録画予約に変更された番組と、他の録画予約された番組の時間帯が重複した場合、当初から録画予約された番組の録画を優先する、他の番組記憶部（外部の記録装置等）へ録画を振り分ける等の処理を行う。この際にどのような処理を行うかの選択は、ユーザが予め設定できるようにしてもよい。
【００２３】
視聴予約されている番組の放送開始時刻が遅れる場合（放送が遅れる場合）、録画予約への変更の承認を促すメッセージを、ユーザが視聴しているはずである変更される放送開始時刻の前（例えば直前）に画面に表示して、変更の承認を得るようにしてもよい。図３は、このような表示メッセージの一例を示す。ユーザのリモコン操作等によって「ＯＫ」が選択された場合にのみ、録画予約への変更を行う。録画予約への変更を行わず、視聴予約のまま実行させることもでき、予約自体を取り消すこともできる。
【００２４】
視聴予約されている番組の放送開始時刻が変わらず、放送終了時刻が遅れる場合（放送時間が延長される場合）、録画予約への変更の承認を促すメッセージを、ユーザが視聴しているはずである放送開始時刻の前（例えば直前）に画面に表示し、承認が得られた場合にのみ録画予約に変更するようにしてもよい。この場合も図３のようなメッセージを表示し、ユーザのリモコン操作等によって「ＯＫ」が選択された場合にのみ、録画予約への変更を行う。録画予約への変更を行わず、視聴予約のまま実行させることもでき、予約自体を取り消すこともできる。
【００２５】
図４は、予約情報と実際に行われた予約動作の一例を示す表である。３通りの例について説明する。
【００２６】
０３１チャンネルで放送される、番組ＩＤ２１５４、番組名「クイズ何でしょう」は、２月１４日、１９：００から２０：００まで放送予定の番組で、この予定通りに視聴予約がなされていた。この番組は、予定通りに２月１４日、１９：００から２０：００に放送されたので、当初の予約通りに視聴予約が実行された。
【００２７】
１０２チャンネルで放送される、番組ＩＤ５９７、番組名「大宇宙紀行」は、２月１４日、２２：３０から２３：００まで放送予定の番組で、この予定通りに視聴予約がなされていた。この番組は、番組終了時刻が予定より遅い２３：３０に変更された（放送時間が延長された）ため、２月１４日、２２：３０から２３：３０までの録画予約に変更された。
【００２８】
１１１チャンネルで放送される、番組ＩＤ１０２９、番組名「おつかれさま」は、毎週土曜の０：３０から１：００まで放送予定の番組で、毎週土曜日のこの予定時間通りに視聴予約がなされていた。２月１７日の放送では、番組開始時刻が予定より早い０：１５に変更され、番組終了時刻が予定より早い０：４５に変更された（放送時間が早まった）ため、この週の土曜日の２月１７日では、０：１５から０：４５までの録画予約に変更された。
【００２９】
以上説明したように、本発明の放送受信装置によれば、視聴予約している番組の放送時間が変更され、変更された放送時間帯にユーザが視聴できない場合でも、自動的に録画予約に切り替えられるため、ユーザが視聴を予定している時間外に放送される番組の部分を見逃すおそれがなくなる。
【００３０】
また、視聴予約している開始時刻が当初の予定より早まった場合も自動的に録画されているため、番組を見逃すおそれがなくなる。
【産業上の利用可能性】
【００３１】
本発明は、視聴予約機能及び録画予約機能を有する放送受信装置に利用可能である。
【図面の簡単な説明】
【００３２】
【図１】本発明の放送受信装置の構成の一例を示すブロック図である。
【図２】本発明の放送受信装置の予約変更動作を説明するフローチャートである。
【図３】表示メッセージの一例を示す図である。
【図４】予約情報と実際に行われた予約動作の一例を示す表である。
【符号の説明】
【００３３】
２  チューナー部
４  デマルチプレクサ
６  映像・音声デコード部
８  ＥＰＧ構成部
１０  画面合成部
１２  表示部
１４  音声出力部
１６  タイマ
１８  リモコン受光部
２０  制御部
２２  メモリ
２４  番組記憶部
【図１】
2008236517.tif 000003
【図２】
2008236517.tif 000004
【図３】
2008236517.tif 000005
【図４】
2008236517.tif 000006